【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
第１の出力端子と、第２の出力端子と、第３の出力端子とを有し、前記第１の出力端子、前記第２の出力端子、および前記第３の出力端子における信号の組み合わせに応じたシンボル信号を送信し、前記第２の出力端子における出力インピーダンスは、前記第１の出力端子における出力インピーダンスよりも低い送信部を備えた
送信装置。
【請求項２】
前記第１の出力端子、前記第２の出力端子、および前記第３の出力端子は、この順に配置され、
前記第２の出力端子における出力インピーダンスは、前記第３の出力端子における出力インピーダンスよりも低い
請求項１に記載の送信装置。
【請求項３】
前記送信部は、前記第２の出力端子における出力インピーダンスを変更可能に構成された
請求項１に記載の送信装置。
【請求項４】
前記シンボル信号を受信する受信装置から受信結果を受け取る受信部をさらに備え、
前記送信部は、所定のシーケンスを有するシンボル信号を送信するとともに、前記受信結果に基づいて前記第２の出力端子における出力インピーダンスを調整する
請求項３に記載の送信装置。
【請求項５】
前記シンボル信号を受信する受信装置から受信結果を受け取る受信部をさらに備え、
前記送信部は、前記第１の出力端子、前記第２の出力端子、および前記第３の出力端子の電圧をそれぞれ設定するとともに、前記受信結果に基づいて前記第２の出力端子における出力インピーダンスを調整する
請求項３に記載の送信装置。
【請求項６】
前記送信部は、前記第１の出力端子および前記第２の出力端子における電圧を第１の電圧に設定し、前記第３の出力端子における電圧を第２の電圧に設定するとともに、前記受信結果に基づいて、前記第２の出力端子における電圧を前記第１の電圧にする際の前記第２の出力端子における出力インピーダンスを調整する
請求項５に記載の送信装置。
【請求項７】
前記送信部は、前記第１の出力端子における出力インピーダンスおよび前記第３の出力端子における出力インピーダンスを変更可能に構成された
請求項１に記載の送信装置。
【請求項８】
第１の出力端子と、第２の出力端子と、第３の出力端子とを有し、前記第１の出力端子、前記第２の出力端子、および前記第３の出力端子における信号の組み合わせに応じたシンボル信号を送信し、前記第２の出力端子における信号の電圧振幅は、前記第１の出力端子における信号の電圧振幅よりも大きい送信部を備えた
送信装置。
【請求項９】
前記第１の出力端子、前記第２の出力端子、および前記第３の出力端子は、この順に配置され、
前記第２の出力端子における信号の電圧振幅は、前記第３の出力端子における信号の電圧振幅よりも大きい
請求項８に記載の送信装置。
【請求項１０】
前記送信部は、前記第２の出力端子における信号の電圧振幅を変更可能に構成された
請求項８に記載の送信装置。
【請求項１１】
前記シンボル信号を受信する受信装置から受信結果を受け取る受信部をさらに備え、
前記送信部は、所定のシーケンスを有するシンボル信号を送信するとともに、前記受信結果に基づいて前記第２の出力端子における信号の電圧振幅を調整する
請求項１０に記載の送信装置。
【請求項１２】
第１の入力端子と、第２の入力端子と、第３の入力端子とを有し、前記第１の入力端子、前記第２の入力端子、および前記第３の入力端子における信号の組み合わせに応じたシンボル信号を受信し、前記第２の入力端子における入力インピーダンスは、前記第１の入力端子における入力インピーダンスよりも高い受信部を備えた
受信装置。
【請求項１３】
前記第１の入力端子、前記第２の入力端子、および前記第３の入力端子は、この順に配置され、
前記第２の入力端子における入力インピーダンスは、前記第３の入力端子における入力インピーダンスよりも高い
請求項１２に記載の受信装置。
【請求項１４】
前記受信部は、前記第２の入力端子における入力インピーダンスを変更可能に構成された
請求項１２に記載の受信装置。
【請求項１５】
前記受信部は、所定のシーケンスを有するシンボル信号を受信し、その受信結果に基づいて前記第２の入力端子における入力インピーダンスを調整する
請求項１４に記載の受信装置。
【請求項１６】
前記シンボル信号を送信する送信装置に対して、前記送信装置の出力電圧を指示する出力電圧指示情報を送信する送信部をさらに備え、
前記受信部は、前記第１の入力端子、前記第２の入力端子、および前記第３の入力端子における電圧に基づいて、前記第２の入力端子における入力インピーダンスを調整する
請求項１４に記載の受信装置。
【請求項１７】
送信装置と、
受信装置と
を備え、
前記送信装置は、
第１の出力端子と、第２の出力端子と、第３の出力端子とを有し、前記第１の出力端子、前記第２の出力端子、および前記第３の出力端子における信号の組み合わせに応じたシンボル信号を送信し、前記第２の出力端子における出力インピーダンスは、前記第１の出力端子における出力インピーダンスよりも低い送信部を有する
通信システム。
【請求項１８】
前記送信装置に基準クロック信号を供給する発振回路をさらに備え、
前記送信装置は前記基準クロック信号に基づいて動作する
請求項１７に記載の通信システム。
【請求項１９】
前記送信部は、前記第２の出力端子における出力インピーダンスを変更可能に構成され、前記通信システムの電源起動時に、前記第２の出力端子における出力インピーダンスを調整する
請求項１７に記載の通信システム。
【請求項２０】
前記送信装置は、イメージセンサであり、
前記受信装置は、前記イメージセンサが取得した画像を処理するプロセッサである
請求項１７に記載の通信システム。
【請求項２１】
前記送信部は、前記第２の出力端子における出力インピーダンスを変更可能に構成され、前記イメージセンサが取得した画像を含む画像データを送信している期間以外の期間において、前記第２の出力端子における出力インピーダンスを調整する
請求項２０に記載の通信システム。
【手続補正２】
【補正対象書類名】明細書
【補正対象項目名】００４３
【補正方法】変更
【補正の内容】
【００４３】
ドライバ制御部２８は、シンボル信号Ｔｘ１，Ｔｘ２，Ｔｘ３およびクロック信号ＴｘＣＫに基づいて、制御信号ＵＰ１Ａ，ＵＰ２Ａ，ＤＮ１Ａ，ＤＮ２Ａ，ＵＰ１Ｂ，ＵＰ２Ｂ，ＤＮ１Ｂ，ＤＮ２Ｂ，ＵＰ１Ｃ，ＵＰ２Ｃ，ＤＮ１Ｃ，ＤＮ２Ｃを生成するものである。そして、ドライバ制御部２８は、制御信号ＵＰ１Ａ，ＵＰ２Ａ，ＤＮ１Ａ，ＤＮ２Ａをインピーダンス調整部２８Ａに供給し、制御信号ＵＰ１Ｂ，ＵＰ２Ｂ，ＤＮ１Ｂ，ＤＮ２Ｂをインピーダンス調整部２８Ｂに供給し、制御信号ＵＰ１Ｃ，ＵＰ２Ｃ，ＤＮ１Ｃ，ＤＮ２Ｃをインピーダンス調整部２８Ｃに供給するようになっている。
【手続補正３】
【補正対象書類名】明細書
【補正対象項目名】００５７
【補正方法】変更
【補正の内容】
【００５７】
また、インピーダンス制御部２８９Ａは、制御信号Ｓctl1，Ｓctl2に基づいて、ドライバ２９１Ａ〜２９７Ａ，２９１Ｂ〜２９７Ｂ，２９１Ｃ〜２９７Ｃのうち、使用するドライバの数を変更することにより、ドライバ部２９Ａの出力インピーダンスＺoa、ドライバ部２９Ｂの出力インピーダンスＺob、およびドライバ部２９Ｃの出力インピーダンスＺocを変化させる。具体的には、例えば、インピーダンス制御部２８９Ａは、制御信号ＳＥＬ１〜ＳＥＬ７のうちの、“１”にする制御信号の数を増やすことにより、出力インピーダンスＺoaを低くし、“１”にする制御信号の数を減らすことにより出力インピーダンスＺoaを高くすることができるようになっている。インピーダンス制御部２８９Ｂ，２８９Ｃについても同様である。
【手続補正４】
【補正対象書類名】明細書
【補正対象項目名】００６４
【補正方法】変更
【補正の内容】
【００６４】
アンプ４２Ａ，４２Ｂ，４２Ｃは、それぞれ、正入力端子における信号と負入力端子における信号の差分に応じた信号を出力するものである。アンプ４２Ａの正入力端子は、アンプ４２Ｃの負入力端子および抵抗素子４１Ａの一端に接続されるとともに信号ＳＩＧＡが供給され、負入力端子は、アンプ４２Ｂの正入力端子および抵抗素子４１Ｂの一端に接続されるとともに信号ＳＩＧＢが供給される。アンプ４２Ｂの正入力端子は、アンプ４２Ａの負入力端子および抵抗素子４１Ｂの一端に接続されるとともに信号ＳＩＧＢが供給され、負入力端子は、アンプ４２Ｃの正入力端子および抵抗素子４１Ｃの一端に接続されるとともに信号ＳＩＧＣが供給される。アンプ４２Ｃの正入力端子は、アンプ４２Ｂの負入力端子および抵抗素子４１Ｃの一端に接続されるとともに信号ＳＩＧＣが供給され、負入力端子は、アンプ４２Ａの正入力端子および抵抗素子４１Ａの一端に接続されるとともに信号ＳＩＧＡが供給される。
【手続補正５】
【補正対象書類名】明細書
【補正対象項目名】０１１５
【補正方法】変更
【補正の内容】
【０１１５】
図１９は、インピーダンス調整部８８Ａの一構成例を表すものである。インピーダンス調整部８８Ａはインピーダンス制御部８８９Ａと、論理積回路部８８１Ａ〜８８７Ａとを有している。
【手続補正６】
【補正対象書類名】明細書
【補正対象項目名】０１１６
【補正方法】変更
【補正の内容】
【０１１６】
インピーダンス制御部８８９Ａは、制御信号Ｓctl1に基づいて、制御信号ＳＥＬＵ１〜ＳＥＬＵ７および制御信号ＳＥＬＤ１〜ＳＥＬＤ７を生成するものである。
【手続補正７】
【補正対象書類名】明細書
【補正対象項目名】０１１９
【補正方法】変更
【補正の内容】
【０１１９】
なお、ここでは、インピーダンス調整部８８Ａを例に挙げて説明したが、インピーダンス調整部８８Ｂ，８８Ｃについても同様である。インピーダンス調整部８８Ｂは、インピーダンス制御部８８９Ｂと、論理積回路部８８１Ｂ〜８８７Ｂとを有している。インピーダンス調整部８８Ｃは、インピーダンス制御部８８９Ｃと、論理積回路部８８１Ｃ〜８８７Ｃとを有している。インピーダンス制御部８８９Ｂは、制御信号Ｓctl2に基づいて、インピーダンス調整部８８Ｂ内で用いられる制御信号ＳＥＬＵ１〜ＳＥＬＵ７および制御信号ＳＥＬＤ１〜ＳＥＬＤ７を生成するものである。インピーダンス制御部８８９Ｃは、制御信号Ｓctl1に基づいて、インピーダンス調整部８８Ｃ内で用いられる制御信号ＳＥＬＵ１〜ＳＥＬＵ７および制御信号ＳＥＬＤ１〜ＳＥＬＤ７を生成するものである。論理積回路部８８１Ｂ〜８８７Ｂ，８８１Ｃ〜８８７Ｃは、論理積回路部８８１Ａ〜８８７Ａと同様の機能を有するものである。
【手続補正８】
【補正対象書類名】明細書
【補正対象項目名】０２０８
【補正方法】変更
【補正の内容】
【０２０８】
制御部１４１Ｂは、制御信号Ｓmodeを用いて、信号ＳＩＧＡ，ＳＩＧＢ，ＳＩＧＣの電圧を設定するとともに、信号ＳＡＢ，ＳＢＣ，ＳＣＡに基づいて、制御信号Ｓctl1,Ｓctrl2を用いて、受信部１５０Ｂの入力インピーダンスＺia，Ｚib，Ｚicを設定するものである。
【手続補正９】
【補正対象書類名】明細書
【補正対象項目名】０２４８
【補正方法】変更
【補正の内容】
【０２４８】
（１３）前記第１の入力端子、前記第２の入力端子、および前記第３の入力端子は、この
順に配置され、
前記第２の入力端子における入力インピーダンスは、前記第３の入力端子における入力
インピーダンスよりも高い
前記（１２）に記載の受信装置。
【手続補正１０】
【補正対象書類名】図面
【補正対象項目名】図３
【補正方法】変更
【補正の内容】
【図３】
2017038212.tif 000001
【手続補正１１】
【補正対象書類名】図面
【補正対象項目名】図４
【補正方法】変更
【補正の内容】
【図４】
2017038212.tif 000002
【手続補正１２】
【補正対象書類名】図面
【補正対象項目名】図１９
【補正方法】変更
【補正の内容】
【図１９】
2017038212.tif 000003
【手続補正１３】
【補正対象書類名】図面
【補正対象項目名】図２３
【補正方法】変更
【補正の内容】
【図２３】
2017038212.tif 000004